【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数のリールと、
前記リールを回転させるためのスタートスイッチと、
前記リールの回転を停止させるための複数個のストップスイッチと、
前記リールを通常とは異なる動作態様で制御するフリーズ制御手段と、
前記ストップスイッチの操作順序を判定する操作順序判定手段と、を備えたスロットマシンであって、
前記フリーズ制御手段は、一の遊技において特定の条件が満たされた場合には、前記一の遊技よりも前の遊技において前記操作順序判定手段により判定された操作順序に応じた動作態様で前記リールを制御する、ことを特徴とするスロットマシン。
【手続補正２】
【補正対象書類名】明細書
【補正対象項目名】００１４
【補正方法】変更
【補正の内容】
【００１４】
本明細書に記載の発明はこのような事情に鑑みなされたもので、遊技者への告知態様を適宜変更することができ、かつ画像や音声等による演出に頼らずに遊技者への告知を行うことが可能なスロットマシンを提供することを目的とする。
【手続補正３】
【補正対象書類名】明細書
【補正対象項目名】００１５
【補正方法】変更
【補正の内容】
【００１５】
本発明に係るスロットマシンは、以下の特徴を備えている。なお、以下の特徴構成の説明では、後述する実施形態において対応する構成の一例を括弧書きで示している。
本発明に係るスロットマシンは、複数種類の図柄を可変表示する複数のリールと、リールを回転させるためのスタートスイッチ（例えば、スタートレバー２５）と、リールの回転を停止させるための複数個のストップスイッチと、リールを通常とは異なる動作態様で制御するフリーズ制御手段（例えば、フリーズ実行制御手段１０５）と、ストップスイッチの操作順序を判定する操作順序判定手段（例えば、リール回転停止操作順序記憶手段１０３）と、を備えたスロットマシンであって、フリーズ制御手段は、一の遊技において特定の条件が満たされた場合には、前記一の遊技よりも前の遊技において操作順序判定手段により判定された操作順序に応じた動作態様でリールを制御する、ことを特徴とする。
【手続補正４】
【補正対象書類名】明細書
【補正対象項目名】００１６
【補正方法】変更
【補正の内容】
【００１６】
参考発明に係るスロットマシンは、複数種類の図柄を可変表示する複数のリールと、複数のリールを回転開始させるためのリール回転開始操作及び複数のリールの各々を回転停止させるためのリール回転停止操作を順次受け付ける操作手段と、所定の役決定開始条件が満足されたことを契機として役決定を行う役決定手段と、操作手段が受け付けたリール回転開始操作及びリール回転停止操作と役決定手段による役決定の結果とに基づき複数のリールの駆動を制御するリール制御手段と、操作手段が受け付けたリール回転停止操作の順序を記憶するリール回転停止操作順序記憶手段と、所定の遊技（例えば、ＢＢ遊技状態中の遊技）における役決定により所定の役決定結果（例えば、役決定結果Ａ７またはＡ８）が得られた場合に、所定の遊技の直前の遊技においてリール回転停止操作順序記憶手段に記憶されたリール回転停止操作の順序に基づき、所定の役決定結果に関する情報を遊技者に告知するための告知態様を決定する告知態様決定手段と、告知態様決定手段により決定された告知態様の違いにより、所定の遊技において操作手段がリール回転開始操作を受け付けてからリール回転停止操作を受け付けるまでの間における複数のリールの少なくとも一部の回転状態（回転しない状態を含む）を変更するリール回転状態変更手段（例えば、フリーズ実行制御手段１０５）と、を備えたことを特徴とする。
【手続補正５】
【補正対象書類名】明細書
【補正対象項目名】００１８
【補正方法】変更
【補正の内容】
【００１８】
なお、本明細書において「役決定」とは、予め設定された複数種類の役（ハズレも含む）の中から、１つまたは複数の役を無作為に選択するために、電子機器等を用いて実行される抽選等の選択行為を意味しており、「役決定結果」とは、その選択行為によって導出された内容を意味している。ただし、役決定結果を得るタイミングについては、選択行為の過程の中の種々の時点（例えば、乱数を用いた抽選の場合、スロットマシンが、乱数列の中から１つの乱数を取得した時点や、取得した乱数を記憶領域に格納した時点、取得した乱数が、抽選テーブル上に設定された複数の数値範囲のどの数値範囲に属するかを判別した時点、取得した乱数が属する数値範囲に対応する役を判別した時点、判別した結果を記憶領域に格納した時点等）とすることができる。
【手続補正６】
【補正対象書類名】明細書
【補正対象項目名】００１９
【補正方法】変更
【補正の内容】
【００１９】
また、本明細書において「リール回転停止操作の順序」とは、複数のリールの各々に対応した各リール回転停止操作がどのような順番で行われたかを意味するものであるが、全てのリール回転停止操作の順番を考慮するものだけではなく、その一部の順番のみを考慮する場合を含む。例えば、最初に行われたリール回転停止操作がどのリールに対応するものであるかのみを考慮したり、最後に行われたリール回転停止操作がどのリールに対応するものであるかのみを考慮したりする場合も含む。
【手続補正７】
【補正対象書類名】明細書
【補正対象項目名】００２０
【補正方法】変更
【補正の内容】
【００２０】
また、参考発明に係るスロットマシンにおいて、告知態様決定手段により決定される告知態様は、所定の役決定結果のうちの特定の役決定結果（例えば、役決定結果Ａ７）が得られた場合に該特定の役決定結果が得られたことを、所定の遊技において操作手段がリール回転停止操作を受け付ける前の所定の時点で告知する第一告知態様と、所定の役決定結果が得られた場合に特定の役決定結果が得られた可能性があることを、所定の遊技において操作手段がリール回転停止操作を受け付ける前の所定の時点で告知する第二告知態様と、所定の役決定結果のうちの特定の役決定結果が得られた場合に該特定の役決定結果が得られたことを、所定の遊技において操作手段がリール回転停止操作を受け付けた後の所定の時点（例えば、ＢＢ遊技状態の終了時点）で告知する第三告知態様と、を含んでなる、とすることができる。
【手続補正８】
【補正対象書類名】明細書
【補正対象項目名】００２２
【補正方法】変更
【補正の内容】
【００２２】
また、参考発明に係るスロットマシンにおいて、所定の遊技における役決定により特定の役決定結果が得られた場合に、遊技者への特典付与の決定を行う特典付与決定手段（例えば、アシスト回数制御手段１１２）を備えることができる。
【手続補正９】
【補正対象書類名】明細書
【補正対象項目名】００２４
【補正方法】変更
【補正の内容】
【００２４】
また、参考発明に係るスロットマシンにおいて、所定の役決定結果が得られた場合とは、特定の役決定結果と該特定の役決定結果とは異なる別の役決定結果の何れかの役決定結果が得られた場合であり、特定の役決定結果が得られた場合には、所定の図柄の組合せが所定の位置に停止表示されることが許容され、別の役決定結果が得られた場合には、所定の図柄の組合せの一部のみが所定の位置に停止表示されることが許容される、とすることができる。
【手続補正１０】
【補正対象書類名】明細書
【補正対象項目名】００２６
【補正方法】変更
【補正の内容】
【００２６】
また、参考発明に係るスロットマシンにおいて、所定の遊技における役決定により特定の役決定結果が得られた場合において、告知態様決定手段により第三告知態様が決定された場合、または告知態様決定手段により第二告知態様が決定され、かつ所定の図柄が所定の位置に停止表示されなかった場合に、所定の遊技の終了後の所定の時点で、特定の役決定結果が得られていたことを告知する所定の演出を行う演出実行手段（例えば、演出実行制御手段１１１、画像表示装置１１）を備えている、とすることができる。
【手続補正１１】
【補正対象書類名】明細書
【補正対象項目名】００２８
【補正方法】変更
【補正の内容】
【００２８】
本明細書に記載のスロットマシンによれば、上述の特徴構成を備えていることにより、遊技者によるリール回転停止操作の順序によって告知態様を適宜変更することができるとともに、画像や音声等の演出に頼らずに、遊技開始時のリールの回転状態の違いによって遊技者に告知を行うことが可能となる。